(57)【要約】【課題】レールをまくらぎに固定するレール締結装置に用いられる回転締結金具用弛緩防止具において、防食効果を高め、工期を短縮する。【解決手段】回転締結金具の六角ナット９に係合する係合筒体２と、板ばね１０に当接する回転止め片３とを備えている。回転止め片３の先端部には、板ばね１０に係止する錨部５が形成されている。回転止め片３の基部には薄肉部６が形成されている。これにより、係合筒体２を六角ナット９に係合させるとき、回転止め片３が薄肉部６を中心として撓むように変形するので、回転締結金具用弛緩防止具１を簡便に装着できる。係合筒体２が回転締結金具の六角ボルト８の先端ねじ部８ａおよび六角ナット９を覆っているので、六角ボルト８や六角ナット９に風雨が当たらなくなる。回転締結金具用弛緩防止具１はナイロン製であるため、耐候性が向上し、防食効果が高まる。【選択図】図６
0003104843.tif 000002
【実用新案登録請求の範囲】
【請求項１】
被締結部材を締結するボルトおよびナットの組合せからなる回転締結金具に装着される回転締結金具用弛緩防止具であって、
前記回転締結金具のボルトまたはナットに係合する係合筒体と、
前記被締結部材に当接する回転止め片とを備えた回転締結金具用弛緩防止具において、
前記回転止め片の先端部には、前記被締結部材に係止する錨部が形成されており、
前記回転止め片の基部には、薄肉部が形成されていることを特徴とする回転締結金具用弛緩防止具。
【請求項２】
前記係合筒体は、前記回転締結金具のボルトまたはナットを覆う形状になっていることを特徴とする請求項１に記載の回転締結金具用弛緩防止具。
【請求項３】
材質が樹脂であることを特徴とする請求項１に記載の回転締結金具用弛緩防止具。
【請求項４】
材質が樹脂であることを特徴とする請求項２に記載の回転締結金具用弛緩防止具。
【考案の詳細な説明】
【技術分野】
【０００１】
本考案は、レールをまくらぎに固定するレール締結装置に用いられる回転締結金具用弛緩防止具に関するものである。
【背景技術】
【０００２】
わが国の軌道においては、レールが板ばねでまくらぎに固定されており、ボルトおよびナットの組合せからなる回転締結金具でこの板ばねを締結することにより、レールの固定力を高めている。しかし、列車の通過などに起因してレールが頻繁に振動するため、回転締結金具のボルトまたはナットが徐々に緩んでレールの固定力が低下する恐れがある。そこで、レールの固定力を維持するため、何らかの回転締結金具用弛緩防止具を装着する必要がある。
【０００３】
この回転締結金具用弛緩防止具については、これまで種々開発されてきているが、その大部分は材料が炭素工具鋼などの鋼である（例えば、特許文献１参照）。
【０００４】
また、回転締結金具用弛緩防止具の装着に際しては、この回転締結金具用弛緩防止具を木ねじでまくらぎに固定していた（例えば、特許文献２参照）。
【特許文献１】特開平７−１２７００３号公報（段落〔００１７〕の欄）
【特許文献２】特開２００２−８８７０１号公報（段落〔００１６〕の欄、図２）
【考案の開示】
【考案が解決しようとする課題】
【０００５】
しかし、これでは次のような不都合があった。
【０００６】
第１に、回転締結金具用弛緩防止具が鋼製であるため、耐候性が不十分で、風雨を受けて腐食しやすい。なお、こうした欠点を解消すべく、防食めっきや防食塗装などの防食処理が施された回転締結金具用弛緩防止具もあるが、輸送時や施工時の擦れなどによって防食処理面に損傷を受けやすく、防食効果が薄れてしまうという不具合がある。
【０００７】
第２に、回転締結金具用弛緩防止具をねじ止めしなければならないので、面倒で手間のかかる装着作業を余儀なくされ、工期が長引く。
【０００８】
本考案は、このような事情に鑑み、回転締結金具の弛緩を防ぐという本来の機能を発揮するのは勿論のこと、防食効果に優れ、装着が簡便で工期を短縮しうる回転締結金具用弛緩防止具を提供することを目的とする。
【課題を解決するための手段】
【０００９】
まず、請求項１に係る考案は、被締結部材を締結するボルトおよびナットの組合せからなる回転締結金具に装着される回転締結金具用弛緩防止具であって、前記回転締結金具のボルトまたはナットに係合する係合筒体と、前記被締結部材に当接する回転止め片とを備えた回転締結金具用弛緩防止具において、前記回転止め片の先端部には、前記被締結部材に係止する錨部が形成されており、前記回転止め片の基部には、薄肉部が形成されていることを特徴とする。
また、請求項２に係る考案は、前記係合筒体は、前記回転締結金具のボルトまたはナットを覆う形状になっていることを特徴とする。
また、請求項３、４に係る考案は、材質が樹脂であることを特徴とする。
【考案の効果】
【００１０】
本考案によれば、係合筒体をボルトやナットに係合させるとき、回転止め片が薄肉部を中心として撓むように変形することから、回転締結金具用弛緩防止具を簡便に装着することができる。したがって、回転締結金具用弛緩防止具の工期を短縮することが可能となる。
【００１１】
また、係合筒体が回転締結金具のボルトまたはナットを覆う形状になっていると、ボルトやナットに風雨が当たらなくなるため、ボルトやナットの耐候性が向上し、防食効果が高まる。
【００１２】
さらに、回転締結金具用弛緩防止具の材質が樹脂であると、回転締結金具用弛緩防止具の耐候性が向上し、防食効果が高まる。
【考案を実施するための最良の形態】
【００１３】
以下、本考案の実施形態を図面に基づいて説明する。
【００１４】
回転締結金具用弛緩防止具１は、ナイロン（ポリアミド系の合成高分子）製の射出成形品であり、図１〜７に示すように、大径筒部２１の上側に小径筒部２２が同心円状に搭載された段付き帽子形の係合筒体２を有している。係合筒体２の大径筒部２１の内周面には把持部２１ａが形成されており、把持部２１ａは、図４に示すように、６の整数倍の個数（例えば、１８個、２４個など）だけＶ字が円周上に連続した断面形状を備えている。
【００１５】
また、係合筒体２には、図１〜７に示すように、直角Ｌ字形の回転止め片３が一体に連設されている。回転止め片３の先端部にはテーパ状の錨（いかり）部５が形成されており、回転止め片３の基部には、円弧断面状の溝７が凹設されることによって薄肉部６が水平方向に形成されている。
【００１６】
回転締結金具用弛緩防止具１は以上のような構成を有するので、板ばね（被締結部材）によるレールの固定力を維持するためには、以下に述べるとおり、この回転締結金具用弛緩防止具１を六角ナット９に装着する。
【００１７】
すなわち、図６、７に示すように、レール（図示せず）は板ばね１０でまくらぎ（図示せず）に固定されており、この固定力を高めるべく、板ばね１０には六角ボルト８が貫通しており、六角ボルト８の先端ねじ部８ａには平座金１２を介して六角ナット９が強固に締め付けられている。この状態で、板ばね１０の上方から回転締結金具用弛緩防止具１を六角ナット９に被せる。
【００１８】
すると、回転締結金具用弛緩防止具１は、図６、７に示すように、係合筒体２が六角ボルト８の先端ねじ部８ａと六角ナット９を覆うとともに、回転止め片３が板ばね１０の側方に位置決めされた状態となる。
【００１９】
このとき、係合筒体２の大径筒部２１は、図７に示すように、その把持部２１ａが六角ナット９の６か所の隅角部を適宜把持する形で六角ナット９に係合した状態となる。したがって、六角ナット９が如何なる回転位置に位置決めされていても、回転締結金具用弛緩防止具１を確実に装着することができる。
【００２０】
また、回転締結金具用弛緩防止具１を装着するとき、図６に想像線で示すように、回転止め片３が薄肉部６を中心として外向きに撓むように変形することから、回転締結金具用弛緩防止具１の装着動作を簡便に実行することができる。しかも、こうして装着された回転締結金具用弛緩防止具１は、図６、７に示すように、回転止め片３の錨部５が板ばね１０に係止しているため、容易に外れる心配はない。
【００２１】
そして、このようにして回転締結金具用弛緩防止具１が装着された状態では、列車通過に伴うレールの振動などに起因して六角ナット９が緩み始めると、それに付随して回転締結金具用弛緩防止具１が回転する。そして、図７に想像線で示すように、回転止め片３が板ばね１０に当接すると、そこで回転締結金具用弛緩防止具１の回転が停止するので、それ以上は六角ナット９が緩まなくなる。したがって、たとえレールが頻繁に振動したとしても、板ばね１０によるレールの固定力を維持することができる。
【００２２】
さらに、回転締結金具用弛緩防止具１は、図６に示すように、係合筒体２が六角ボルト８の先端ねじ部８ａと六角ナット９を覆うように装着されているので、六角ボルト８や六角ナット９は、耐候性が向上し、風雨を受けて腐食する事態を抑制することができる。また、回転締結金具用弛緩防止具１はナイロン製であるため、回転締結金具用弛緩防止具１そのものが腐食する心配もない。
【００２３】
なお、上述の実施形態においては、図１〜７に示すように、六角ボルト８の先端ねじ部８ａおよび六角ナット９を覆うための段付き帽子形の係合筒体２を有する回転締結金具用弛緩防止具１について説明した。しかし、図８〜１０に示すように、六角ボルト８の頭部８ｂが板ばね１０の上側に位置する場合は、六角ボルト８の頭部８ｂを覆うための段なし帽子形の係合筒体２を有する回転締結金具用弛緩防止具１が適している。この回転締結金具用弛緩防止具１では、図９に示すように、係合筒体２が六角ボルト８の頭部８ｂを覆うように装着されるので、六角ボルト８の耐候性が向上し、風雨を受けて腐食する事態を抑制することができる。また、この場合も、回転締結金具用弛緩防止具１を装着するとき、図９に想像線で示すように、回転止め片３が薄肉部６を中心として外向きに撓むように変形することから、回転締結金具用弛緩防止具１の装着動作を簡便に実行することができる。しかも、こうして装着された回転締結金具用弛緩防止具１は、図９、１０に示すように、回転止め片３の錨部５が板ばね１０に係止しているため、容易に外れる心配はない。
【００２４】
また、上述の実施形態においては、図１〜７または図８〜１０に示すように、段付き帽子形または段なし帽子形の係合筒体２を有する回転締結金具用弛緩防止具１について説明したが、図１１、１２に示すように、貫通円筒状の係合筒体２を代用することも可能である。この場合、係合筒体２が上下方向に貫通しているので、六角ボルト８の頭部８ｂが腐食する事態を抑制する効果は期待できないものの、それ以外の構成については、上述の実施形態と同じであるため、同様の作用効果を奏する。
【００２５】
また、上述の実施形態においては、図５に示すように、直角Ｌ字形の回転止め片３を有する回転締結金具用弛緩防止具１について説明したが、この回転止め片３は必ずしも直角Ｌ字形にする必要はなく、図１２に示すように、基部側（係合筒体２側）の半分をやや傾斜させて鈍角Ｌ字形に形成しても構わない。
【００２６】
また、上述の実施形態においては、ナイロン製の回転締結金具用弛緩防止具１について説明したが、回転締結金具用弛緩防止具１の材質としては、回転締結金具の回転を拘束しうるだけの強度および剛性を具備している限り、ナイロン以外の樹脂（合成樹脂であると天然樹脂であるとを問わない。）や繊維強化プラスチックなどを採用することもできる。
【００２７】
また、上述の実施形態においては、図６、７に示すように、回転締結金具のボルトおよびナットとしてそれぞれ六角ボルト８および六角ナット９を採用し、その角数、すなわち「６」に対応して、６の整数倍の個数だけＶ字を円周上に連続させた断面形状の把持部２１ａが形成された大径筒部２１を備えた係合筒体２を採用した場合について説明した。しかし、六角ボルト８以外のボルトや、六角ナット９以外のナットを代用することもできる。このとき、ボルトやナットの角数に応じて把持部２１ａの断面形状を変更する必要がある。例えば、四角ボルト（図示せず）を用いる場合は、４の整数倍の個数（例えば、１２個、１６個など）だけＶ字が円周上に連続した断面形状を備えた把持部２１ａを採用すればよい。
【図面の簡単な説明】
【００２８】
【図１】本考案に係る回転締結金具用弛緩防止具の第１の実施形態を示す平面図である。
【図２】図１に示す回転締結金具用弛緩防止具の正面図である。
【図３】図１に示す回転締結金具用弛緩防止具の右側面図である。
【図４】図１に示す回転締結金具用弛緩防止具の底面図である。
【図５】図１に示す回転締結金具用弛緩防止具のＡ−Ａ線による断面図である。
【図６】図１に示す回転締結金具用弛緩防止具の使用状態を示す縦断面図である。
【図７】図１に示す回転締結金具用弛緩防止具の使用状態を示す底面図である。
【図８】本考案に係る回転締結金具用弛緩防止具の第２の実施形態を示す平面図である。
【図９】図８に示す回転締結金具用弛緩防止具の使用状態を示す縦断面図である。
【図１０】図８に示す回転締結金具用弛緩防止具の使用状態を示す底面図である。
【図１１】本考案に係る回転締結金具用弛緩防止具の第３の実施形態を示す平面図である。
【図１２】図１１に示す回転締結金具用弛緩防止具の使用状態を示す縦断面図である。
【符号の説明】
【００２９】
１……回転締結金具用弛緩防止具
２……係合筒体
３……回転止め片
５……錨部
６……薄肉部
８……六角ボルト（ボルト）
８ａ……先端ねじ部
８ｂ……頭部
９……六角ナット（ナット）
１０……板ばね（被締結部材）
【図１】
0003104843.tif 000003
【図２】
0003104843.tif 000004
【図３】
0003104843.tif 000005
【図４】
0003104843.tif 000006
【図５】
0003104843.tif 000007
【図６】
0003104843.tif 000008
【図７】
0003104843.tif 000009
【図８】
0003104843.tif 000010
【図９】
0003104843.tif 000011
【図１０】
0003104843.tif 000012
【図１１】
0003104843.tif 000013
【図１２】
0003104843.tif 000014